(57)【要約】【課題】簡単に取り外しができない仮施錠型留め具を提供する。【解決手段】雌ホックと雄ホックとを着脱してなる留め具であって、雄ホックは中心部を着脱方向に貫通する貫通孔とフック部を有するフック部を備え、かつ前記貫通孔に挿通された突きピンを内蔵しており、雌ホックは雄ホックのフック部に係止される係止部材と、該係止部材を該フック部から離脱しないように保持し雌ホックと雄ホックとを仮施錠するためのストッパーと、該ストッパーを仮施錠状態に付勢するためのばね部材とを具備し、係止部材の雄ホックの前記貫通孔に対向する部分には開口部が設けられており、雌ホックに仮施錠されている雄ホックの突きピンを押すことにより、係止部材の前記開口部を通して該突きピンの先端でストッパーを押圧し、雄ホックのフック部に係止されている係止部材を開放させて雌ホックと雄ホックとの仮施錠を解くことを特徴とする仮施錠型留め具【選択図】図１
0003138948.tif 000002
【実用新案登録請求の範囲】
【請求項１】
雌ホックと雄ホックとを着脱してなる留め具であって、雄ホックは中心部を着脱方向に貫通する貫通孔とフック部を有するフック部を備え、かつ前記貫通孔に挿通された突きピンを内蔵しており、雌ホックは雄ホックのフック部に係止される係止部材と、該係止部材を該フック部から離脱しないように保持し雌ホックと雄ホックとを仮施錠するためのストッパーと、該ストッパーを仮施錠状態に付勢するためのばね部材とを具備し、係止部材の雄ホックの前記貫通孔に対向する部分には開口部が設けられており、雌ホックに仮施錠されている雄ホックの突きピンを押すことにより、係止部材の前記開口部を通して該突きピンの先端でストッパーを押圧し、雄ホックのフック部に係止されている係止部材を開放させて雌ホックと雄ホックとの仮施錠を解くことを特徴とする仮施錠型留め具。
【請求項２】
前記雌ホックのストッパーが磁性材料で形成されており、該ストッパーに雌ホックの外側から磁石の磁力を作用せしめることにより係止部材を雄ホックのフック部から開放可能にし、雌ホックと雄ホックとの仮施錠を突きピンまたは磁石のいずれでも開錠できる請求項１に記載の仮施錠型留め具。
【請求項３】
前記雄ホックは、フック部が上金具と下金具で布服等によって取り付けられ、フック部の貫通孔に挿通された突きピンとフック部との間には突きピンを上金具側に付勢するためのばねが配設されており、上金具の中央には突きピンを押圧するための透孔が設けられている雌ホックの係止部材と雄ホックのフック部とを着脱してなる留め具であって、請求項１または２に記載の仮施錠型留め具。
【請求項４】
前記雄ホックの突きピンを上金具の孔に設けた押しボタンにより押圧する請求項３に記載の仮施錠型留め具。
【請求項５】
前記係止部材は下部が開口する円錐台状をなしており、該円錐台の天部に開口部を有しかつその側部が切込みによって分割された複数個の板ばねによって形成されており、雄ホックのフック部に係合する係止部が該板ばねの先端部を曲げ加工してなる断面が円弧状の彎曲部によって形成されている請求項１〜４のいずれかに記載の仮施錠型留め具。
【請求項６】
前記係止部材は両端が開口している筒状体からなり、該筒状体の側壁には切欠き部またはボール支持孔が周方向に等間隔で設けられており、雄ホックのフック部に係合する係止部が、該切欠き部またはボール支持孔にそれぞれ組み込まれたリングばねまたはボールによって形成されている請求項１〜４のいずれかに記載の仮施錠型留め具。
【請求項７】
介護用ねまき、介護用手袋またはかばん等に使用される留め具である請求項１〜６のいずれかに記載の仮施錠型留め具。
【請求項８】
請求項１〜６のいずれかの留め具が開閉スライダの留め具として使用されている介護用ねまき。
【請求項９】
雄ホックを内側に取り付けし、雌ホックを外側に取り付けた請求項８に記載の介護用ねまき。
【考案の詳細な説明】
【技術分野】
【０００１】
本考案は、簡単に取り外しができない仮施錠型留め具に関し、特に介護用ねまきの開閉スライダ用留め具、手袋の取り外し防止用留め具等に好適する仮施錠型留め具に関する。
【背景技術】
【０００２】
一般に痴呆症患者には、不潔行為を未然に防ぐために、ロック付きねまきまたはロック付きつなぎねまき（以下、ロック付きねまきという）が着用されることがある。このロック付きねまきの一つとして、ねまきの袖、フロント、股部などにロック機能を持ったファスナーや留め具を取り付けたものが知られている。このロック機能ファスナーはファスナーの閉終端に例えばロック付きボタンを設けて、ロックを解除しないとボタンが外せなくなっており、したがってファスナーも開けられないというものである。
【０００３】
図９は従来のロック付きボタンを示す。このボタンは雌ホック４０と雄ホック４１とからなり、雌ホック４０は側部の板ばね４４の先端部に係止部４３を有する円錐台状の係止部材４２を内部に備えており、該係止部材の上方に設けられた開口部には例えば薄布４５が張着されている。雌ホック４０と雄ホック４１とは、雌ホックの係止部材４２に雄ホックを押し込むことにより、係止部材４２の係止部４３が鎖線で示すように雄ホックのフック部４６に嵌着し留められる。そして、一旦留められた雌ホックと雄ホックは、通常のホックのように単純に両者を引き離しても、雌ホックの係止部材の係止部が雄ホックのフック部に係止されているため外すことができない。
【０００４】
両者を外すには、図９に示すように薄布の上から雌ホックの中心部を指で押し、係止部材の弾性を利用して係止部を拡開しこの状態で雄ホックを雌ホックから離脱させることが必要である。したがって、このようなロック機能ファスナーはロック付きボタンの中心部を押してロックを解き、ボタンを外してからファスナーを開閉する。その結果として、このようなロック機能ファスナーを使用したロック付きねまきは、通常のねまきに比べると簡単にファスナーを開けることができないように工夫されている。
【０００５】
また、他のロック付きボタンとして、例えば雌ホックの係止部材を雄ホックに係合した状態で係止するストッパーを磁性材料から形成し、該ストッパーを磁石の磁力で動かして前記係止を開放する留め具が知られている（特許文献１参照）。
【０００６】
【特許文献１】特開２００６−１３６５５７公報
【考案の開示】
【考案が解決しようとする課題】
【０００７】
しかしながら、上記のロック付きねまきでは、ボタンの中央部を押した状態で雄ホックを雌ホックから離脱させなければならないために、この離脱が慣れた者でも手間取り使い勝手が大変悪いという問題があった。
【０００８】
また、雄ホックと雌ホックとの係止を磁石で開放させて離脱する留め具は、磁石がないと離脱できないためロック機能としては優れているが、常に磁石の携帯が欠かせないという問題があった。
【０００９】
本考案の目的は、このような課題を解消できる簡単に取り外しができない仮施錠型留め具、さらに必要に応じて押しボタンでもあるいは磁石でも雄ホックと雌ホックとの係止を開放できる、特に介護用ねまきの開閉スライダ用留め具または手袋用留め具として有用な仮施錠型留め具を提供することである。
【課題を解決するための手段】
【００１０】
本考案者は、上記の課題を解決するために、前記目的に適う留め具について鋭意検討した結果、雄ホックに突きピンを組み込み、この突きピンで雄ホックと雌ホックとを仮施錠している雌ホックのストッパーを押すことにより係止部材が開放されて開錠と同時に離脱が得られること、さらに前記ストッパーを磁性材料で形成することにより磁石でも係止部材の開放が得られることを見出し、本考案に至ったものである。すなわち、
本考案は、雌ホックと雄ホックとを着脱してなる留め具であって、雄ホックは中心部を着脱方向に貫通する貫通孔とフック部を有するフック部を備え、かつ前記貫通孔に挿通された突きピンを内蔵しており、雌ホックは雄ホックのフック部に係止される係止部材と、該係止部材を該フック部から離脱しないように保持し雌ホックと雄ホックとを仮施錠するためのストッパーと、該ストッパーを仮施錠状態に付勢するためのばね部材とを具備し、係止部材の雄ホックの前記貫通孔に対向する部分には開口部が設けられており、雌ホックに仮施錠されている雄ホックの突きピンを押すことにより、係止部材の前記開口部を通して該突きピンの先端でストッパーを押圧し、雄ホックのフック部に係止されている係止部材を開放させて雌ホックと雄ホックとの仮施錠を解くことを特徴とする仮施錠型留め具を提供する。
【００１１】
本考案の好ましい実施形態では、前記雌ホックのストッパーが磁性材料で形成されており、該ストッパーの係止部材に対する係止を磁石でも開放可能にし、雌ホックと雄ホックとの仮施錠を突きピンまたは磁石のいずれでも開錠できる。
【００１２】
本考案の好ましい留め具において、前記雄ホックは、フック部が上金具と下金具で布服等によって取り付けられ、フック部の貫通孔に挿通された突きピンとフック部との間には突きピンを上金具側に付勢するためのばねが配設されており、上金具の中央には突きピンを押圧するための透孔が設けられている。
また、本考案は、介護用ねまき、介護用手袋またはかばん等に使用される上記仮施錠型留め具を提供する。
【考案の効果】
【００１３】
本考案によれば、雄ホックのフック部に係合させた雌ホックの係止部材をストッパーで離脱しないように係止することにより、雄ホックと雌ホックとを仮施錠することができ、この仮施錠はストッパーを雄ホックに組み込まれた突きピンで押圧して係止部材から開放させない限り開錠されないので、ロック機能を有する留め具を得ることができる。また、雄ホックの貫通孔に挿通して組み込まれている突きピンでストッパーを押圧できるため、係止部材の開放と同時に雌ホックを突きピンで押して雄ホックから容易に離脱させることができる。これにより、仮施錠された雄ホックと雌ホックとを迅速かつ確実に開錠できる使い勝手のよい留め具が得られる。
【００１４】
また、本考案の留め具は、雌ホックのストッパーを磁性材料で形成することにより、該ストッパーを磁石の磁力で動かして係止部材に対する係止を開放できるので、雌ホックと雄ホックとの仮施錠を臨機応変に突きピンまたは磁石によって開錠でき、利便性と使い勝手に優れている。
【考案を実施するための最良の形態】
【００１５】
本考案の仮施錠型留め具（以下、本留め具とする）は、雌ホックの係止部材と雄ホックのフック部とを着脱してなるホックタイプの留め具で、次のように構成される。すなわち、雄ホックと雌ホックとは、雄ホックのフック部に形成したフック部に雌ホックの係止部材を係合し、該係止部材をフック部から離脱しないようにストッパーで係止することにより仮施錠され、雄ホックのフック部に設けられた貫通孔に挿通されている突きピンで前記ストッパーを押すことにより前記係止が開放されて、雄ホックと雌ホックの仮施錠が開錠できるように構成されている。ここで、雄ホックと雌ホックが仮施錠されるとは、単純に引っ張っただけでは離脱しないロック状態を意味し、そのロック構造と開錠方法が比較的簡単である特徴を有している。本留め具においてこの仮施錠は、雄ホックを雌ホックに嵌着すると、雄ホックのフック部に係合された係止部材がフック部から離脱しないようにストッパーで自動的に係止されることによって得られる。そして、係止部材に対するストッパーの係止を開放させると、開錠することができる。
【００１６】
次に、本考案を図面に基づいて具体的に説明する。図面は本考案の好ましい実施形態を例示したものであり、本考案は例示の図面とその説明に限定されない。また、図面の同一機能を有する部品には、理解を容易にするため同一符号を付して説明する。
【００１７】
図１は本留め具の好ましい実施形態の一つで、外された状態の雌ホック１と雄ホック２の断面図である。この断面図は軸Ｌを通る任意位置における断面であるので、雌ホック１と雄ホック２は平面図的には円形状をなしている。雌ホック１は、留め鋲１４を有する下金具２１で布服等１１に取り付けられた外ケース３と内ケース４の間に、係止部材６、ストッパー５およびばね部材１２を組み込んで構成されている。また、雄ホック２はフック部７が装着されたフック部留め２５を上金具２０と下金具２１で布服等１１に取り付けし、該フック部７の貫通孔８に挿通して突きピン２２が内蔵されている。なお、布服等は留め具を取り付ける物品の総称である。
【００１８】
本考案において、雌ホック１および雄ホック２は汎用のホックタイプの留め具と実質的に同じ材料と方法によって製造できる。材質としては、例えば、鉄、１８−８ステンレス鋼、真鍮、亜鉛、アルミニウムなどの金属が強度や製造加工のしやすさの面から好ましく使用でき、なかでも鉄、真鍮が好適する。しかし、材質はこれに限定されず、部品に合わせて適宜選択できる。雌ホック１および雄ホック２は、これらの材料をプレス加工して得られる部品を組み合わせることによって製造できる。また、布服等への取り付け方法も、汎用のホックや留め具で実施されている方法を適宜使用できる。
【００１９】
図２は、本例の雄ホック２を分解して示す斜視図である。図１に示すように雄ホック２は、上金具２０と下金具２１の間に下金具側よりフック部７、フック部留め２５、バネ２４、突きピン２２および押しボタンをこの順序で配設し、上金具２０およびフック部留め２５の各周縁部と下金具２１の留め片１８とを整合した状態で折り曲げ若しくは彎曲させることにより布服等への取り付けと同時に得られる。この雄ホック２において、フック部７は雌ホック１の係止部材６に着脱される部分で、その中心部には突きピン２２を挿通するための貫通孔８が留め具の着脱方向（Ｌ軸方向）に設けられており、またその側周には該係止部材６が係合するための係止溝９が環状に形成されている。係止部材６との着脱を容易かつ円滑にするために、このフック部７の先部は全体的に先細の傾斜面または曲面であることが好ましく、係止溝９も断面が半円弧状の凹溝が好ましい。
【００２０】
一方、フック部留め２５の中心部には筒状のピンガイド２６がフック部側に突出しており、このピンガイド２６をフック部７の貫通孔８に嵌合した状態で、ピンガイド２６の先部を外側に折り曲げることにより、フック部７はフック部留め２５に取り付けることができる。このために、フック部７の貫通孔８の内部には、ピンガイド２６の折り曲げられた先部を係止するための段部が設けられている（図１参照）。なお、フック部７はあらかじめフック部留め２５に取り付けておいてもよい。
【００２１】
雄ホック２が組み立てられた状態において、フック部７の係止溝９が形成された部分は、下金具７の中央部に設けた孔１３から外側に突出される。また、フック留め２５のピンガイド２６に挿入してフック部７の貫通孔８に挿通された突きピン２２は、フック部留め２５との間に装入したバネ２４によって上金具２０側に付勢され、普段は貫通孔８に収納されており、上金具２０の透孔２７から押しボタン２３で押されると、その先端部がフック部７から突出するようになっている。この場合、突きピン２２の突出量は、留め具の大きさや設計仕様により変わり特定されないが、その先端で雌ホック１のストッパー５を係止部材５から少なくとも開放させることができる程度に選定される。本例では雄ホック２に組み込まれた突きピン２２を押しやすくするために、突きピン２２と上金具２０との間に押ボタン２３を設けているが、突きピン２２を上金具２０の透孔２７に露呈させて直接に押すようにしてもよい。しかし、着色ボタンの使用などによりデザイン面でも優れることから、通常は押しボタンが設けられる。
【００２２】
なお、本留め具において、フック部７とフック部留め２５とを一つの部品として形成してもよいし、さらにフック部７を下金具２１と一体に形成することもでき、この場合にはフック部留め２５は不要となる。本留め具はこれらの設計変更を含んでいる。
【００２３】
次に、本例の雌ホック１の各構成要素について説明する。雌ホック１は、図３に示すように外ケース３と下金具２１を組み合わせることによって布服等に取り付けされ、前記外ケース内に係止部材およびストッパー等が組み込まれる（図１参照）。係止部材６は、図４に示すように天板１９とこの天板の周りに形成される板ばね片１６とによって全体に円錐台状若しくは椀状をなし、内部に雄ホック１のフック部を嵌入できるように凹状空間部を有しており、板状体からプレス加工によって製造できる。この係止部材６を弾性が得られる材料から形成し、さらに側部に複数の切込みを周方向にほぼ一定の間隔で設けることにより、板ばね片１６が弾性変形できるようになっている。係止部材６の天板１９の少なくとも中央部には開口部１５が設けられる。この開口部１５は、係止部材６を雌ホック１と雄ホック２が仮施錠されるように係止しているストッパー５を、この開口部１５から前記突きピン２２で押してこの係止を開放させるのに有用である。したがって、この目的が達成できれば、開口部１５の大きさや形状は限定されない。
【００２４】
上記係止部材６は、板ばね片１６の先端部に係止部１７を有している。この係止部１７は、係止部材６内に雄ホック２のフック部７が嵌入されたとき、該フック部７の係止溝９に係合して雌ホック１と雄ホック２とを仮施錠する機能を持っている。そのため、係止部１７は雄ホック２の前記係止溝９に着脱しやすい形状であることが好ましい。具体的には、係止部１７は板ばね片１６の先端部を曲げ加工して上記係止溝９の例えば円弧状凹面に相当する彎曲部に形成し、この彎曲部が内側（雄ホックのフック部側）に突出していることが好ましい。
【００２５】
上記係止部材６はこのまま雌ホック１に適用することも可能であるが、上記係止部１７に弾性リング１０を嵌着することが好ましい（図１参照）。このように係止部材６の係止部１７に弾性リング１０を併用することにより、板ばね片１６の弾性力が弱くても弾性リング１０でこれを補完できる、あるいは係止部１７と雄ホック２のフック部７との着脱および係止を円滑かつ確実にできる、などの利点が得られる。
【００２６】
上記ストッパー５は、図１に示すように雄ホック２のフック部７に係合した前記係止部材６の係止部１７を、フック部７から離脱しないように外側から係止して雄ホック２と雌ホック１とを仮施錠し、また前記係止を開放させることにより雌ホック１と雄ホック２との仮施錠を開錠させる役割を持っている。本例のストッパー５は、係止部材６を内部に組み込むことができるよう便宜的に係止部材６に類似する椀状に形成されており、該椀の縁先端部には凹部２８が内側に開口して形成されている。雄ホック２と雌ホック１との仮施錠過程において、ばね部材１２で付勢された係止部材６が雄ホック２のフック部７によって押し下げられると、同時にその係止部１７がフック部７の先部で押し広げられる。この凹部２８は、押し広げられる係止部材６の係止部１７を一時的に収容し、係止部１７がストッパー５によって拘束されることなく押し広げられるようにするための空間である。したがって、凹部２１の形状や大きさは、施錠過程における係止部材６の係止部１７の逃げ空間が得られればよく特定されない。
【００２７】
上記ばね部材１２は、ストッパー５に作用してその弾性力でストッパー５の先端を係止部材６の係止部１７に係合させて仮施錠状態に付勢する。これにより、雌ホック１と雄ホック２とが施錠状態にあるときは、雄ホック２のフック部７（係止溝９）に係合された係止部材６の係止部１７は外側からストッパー５によって係止される。そして、ばね部材１２の弾性力に抗してストッパー５を突きピン２２で押すと、ストッパー５が係止部材６に対して押し下げられるため、係止部材６の係止部１７から離脱する。その結果、係止部材６の係止部１７がストッパー５の拘束から開放されて係止部材６や弾性リング１０の弾性力で外方向に拡開されるため、雌ホック１と雄ホック２の仮施錠は開錠される。
【００２８】
本例ではばね部材１２としてコイルばねを使用しているが、ばね部材１２はストッパー５に所定の弾性力を付勢できるものであればよくこれに限定されない。例えば板ばね、竹の子ばね、うず巻ばね、線巻きばね、線ばねやゴム弾性体などを用いることもでき、本考案のばね部材はこれらを包含する。なお、ばね部材１２の設置の位置および方法は、ばね部材１２の種類や大きさなどに基づいて適宜決めることができる。
【００２９】
さらに、本留め具の他の好ましい実施形態では、上記ストッパー５を磁性材料で形成することにより、係止部材６を係止しているストッパー５を磁石Ａ（図１参照）の磁力で動かして係止を開放させ、仮施錠状態にある雌ホック１と雄ホック２を外すことができる。磁石Ａは雄ホック２に仮施錠されている雌ホック１の外ケースに近づけることにより適用される。このようにストッパーを磁性材料で形成した雌ホックは、前記したように雄ホックに組み込まれ内蔵されている前記突きピンで雄ホック側からストッパーを押して係止部材に対する係止を開放させることができるとともに、雌ホック側から磁石Ａによりストッパーを動かして前記係止を開放させることもできる。すなわち、仮施錠された雄ホックと雌ホックを、雄ホックに内臓されている突きピンと磁石の何れでも開錠させることができる。しかも、前者は雄ホック側から、後者は雌ホック側からそれぞれ行なわれるため、適宜どちらかを選択することにより雌雄ホックのどちらからでも開錠することができる。なお、この場合には雌ホックの外ケースは非磁性材料で形成される。
【００３０】
ストッパー５に適合する磁性材料としては、鉄、１８−８ステンレス鋼以外のステンレス鋼（以下、磁性ステンレス鋼とする）などを挙げることができる。なかでも磁性ステンレス鋼は防錆に優れ、経済的にも好ましい。なお、ストッパー５は通常全体を磁性材料で形成するが、ストッパー５本体を非磁性材料で形成し、その磁力を受ける部分に磁性材料を例えば接着して設けてもよい。
【００３１】
本留め具は、雄ホックのフック部に係合させた雌ホックの係止部材をストッパーで係止することにより、雄ホックと雌ホックとを仮施錠することができ、この仮施錠はストッパーを雄ホックに組み込まれた突きピンで押圧して係止部材から開放させない限り開錠されないのでロック機能を有する。また、雄ホックに組み込まれている突きピンでストッパーを押圧できるため、係止部材の開放と同時に雌ホックを突きピンで押して雄ホックから容易に離脱させることができ、雄ホックと雌ホックの仮施錠とその開錠を迅速かつ確実にできる使い勝手のよい留め具が得られる。
【００３２】
また、雌ホックのストッパーを磁性材料で形成することにより、該ストッパーを磁石の磁力で動かして係止部材に対する係止を開放できるので、雌ホックと雄ホックとの仮施錠を臨機応変に突きピンまたは磁石によって開錠できる。
【００３３】
以上、本考案の好ましい実施形態について説明したが、本考案はこれに限定されるものではなく目的を達成できる範囲で変えることができる。例えば、図５は、係止部材の他の実施形態を示す。本例の係止部材は筒状体２９とリングばね３１の係止部から構成される。すなわち、筒状体２９の側壁には例えば３個の切欠き部３０が周方向に等間隔で設けられており、該切欠き部３０にリングばね３１を筒状体２９の外側から装着することにより係止部が形成される。このために、リングばね３１は筒状体２９の切欠き部３０に嵌合される小径部３２を備えている。この小径部３２は切欠き部３０に嵌合された状態において筒状体２９の内壁面より内側に突出し、かつ筒状体の内方向から外力を受けると切欠き部３０内で弾性的に出没可能になっている。リングばね２５の位置は雄ホック２の係止溝９（図１参照）に整合するように決められる。これにより、この係止部材に雄ホック２のフック部７が挿入されると、リングばね３１の小径部３２が押し広げられ、挿入された雄ホック２の係止溝９に係合される。
【００３４】
本例の係止部材は筒状体であるので底部が開口している。このため、雄ホックの突きピンでこの開口部からストッパーを押し係止を開放させ、雌ホックと雄ホックの仮施錠を外すことができる。もちろん、有底の筒状体にしてその底部中央部分に開口部を設けてもよい。
【００３５】
図６は、別の好ましい実施形態である係止部材を示す。本例の係止部材は、筒状体３３の側壁に複数（本例では４個）のボール支持孔３４を周方向に等間隔で設け、該ボール支持孔３４にボール３５を保持させて雌ホック内に組み込み、該ボール３５を例えば外側から弾性体で支持することにより係止部が形成される。ボール支持孔３４に保持されたボール３５は、一部が筒状体３３の内側に突出する。この結果、筒状体３３の内部に雄ホックのフック部が嵌入されると、筒状体３３の内側に突出しているボール３０は、フック部で外方向に押されてボール支持孔２９に没入し、更にフック部が押し込まれると、その係合溝に係合し、この状態で外側からストッパーで係止される。
【００３６】
図７は、本留め具３６を適用した介護用ねまき３７を示し、該介護用ねまき３７の例えば開閉スライダ３８の終端部の留め具として使用した場合である。開閉スライダ３８を閉じてその終端部を本留め具３６で仮施錠しておくと、開閉スライダ３８はこの仮施錠を雄ホックに組み込まれている突きピンで開錠しない限り開けられない。
【００３７】
この場合、本留め具３６の雌ホックのストッパーを磁性材料で形成し、該雌ホックを上側に取り付けし、雄ホックを下側に取り付けておくと、本留め具は雄ホックの突きピンまたは磁石によって開錠できる。すなわち、本留め具３６は、一般的には雌ホックの上側から磁石で開錠されるが、磁石を携帯していないときには、臨機応変に雄ホックの下側から指で突きピンを押して開錠させることができ、非常に利便性が優れている。
【００３８】
また、図８は本留め具３６を手袋３９の離脱防止用に適用した場合であり、その仮施錠およびその開錠の仕方は、前記の介護用ねまきと同様である。
さらに、図示はしないが本留め具は、医療用、日用品用などで簡単なロックが必要なその他の物品の留め具としても使用できる。
【産業上の利用可能性】
【００３９】
本考案に係わる留め具は、介護用ねまきの留め具、手袋の外し防止用留め具などの仮施錠型留め具として好適である。
【図面の簡単な説明】
【００４０】
【図１】本考案に係わる好ましい留め具の断面図。
【図２】図１の留め具の雄ホックを分解した斜視図。
【図３】図１の留め具の雌ホックの説明図。
【図４】雌ホックの係止部材の斜視図。
【図５】他の実施形態に係る係止部材の斜視図。
【図６】別の実施形態に係る係止部材の斜視図。
【図７】本考案に係わる留め具を使用した介護用ねまきの正面図。
【図８】本考案に係わる留め具を使用した手袋の正面図。
【図９】従来の留め具の断面説明図。
【符号の説明】
【００４１】
１：雌ホック              ２：雄ホック            ３：外ケース
４：内ケース              ５：ストッパー          ６：係止部材
７：フック部              ８：貫通孔              ９：係止溝
１０：弾性リング          １１：布服等            １２：ばね部材
１３：孔                  １４：留め鋲            １５：開口部
１６：板ばね              １７：係止部            １８：留め片
１９：天板                ２０：上金具            ２１：下金具
２２：突きピン            ２３：押しボタン        ２４：ばね
２５：フック部留め        ２６：ピンガイド        ２７：透孔
２８：凹部                ２９．３３：筒状体      ３０：切欠き孔
３１：リングばね          ３２：小径部            ３４：ボール支持孔
３５：ボール              ３６：本留め具          ３７：介護用ねまき
３８：開閉スライダ        ３９：手袋
【図１】
0003138948.tif 000003
【図２】
0003138948.tif 000004
【図３】
0003138948.tif 000005
【図４】
0003138948.tif 000006
【図５】
0003138948.tif 000007
【図６】
0003138948.tif 000008
【図７】
0003138948.tif 000009
【図８】
0003138948.tif 000010
【図９】
0003138948.tif 000011